(57)【要約】【課題】ユーザの利便性を向上させる手持ち式装置を提供する。【解決手段】手持ち式バーコード読取装置１００は、制御基板を内蔵する本体１０１と、本体１０１から突出する突出部１０７と、２つ以上の異なる方法で保持部に本体１０１を保持する被保持部とを備える。被保持部としては、磁石保持部１０８、孔部１０９、挟持部１１０がある。磁石保持部１０８は、吸磁部材に本体１０１を磁力で保持するための磁石を有する。孔部１０９は、フック状部材に係止するための孔を有する。挟持部１１０は、挟持対象物を本体１０１とともに挟持して本体１０１を保持する。【選択図】図１
2018018236.tif 000002
【特許請求の範囲】
【請求項１】
制御基板を内蔵する本体と、
前記本体から突出する突出部と、
第１保持部に前記本体を保持するための第１被保持部と、
前記第１保持部とは異なる方法で第２保持部に前記本体を保持するための第２被保持部とを備え、
前記第１被保持部は、前記突出部に設けられ、
前記第２被保持部は、前記突出部又は前記第１被保持部に設けられる
ことを特徴とする手持ち式装置。
【請求項２】
前記第１被保持部は、前記突出部の先端に設けられ、前記第１保持部に磁力で保持するための磁石を有する
ことを特徴とする請求項１に記載の手持ち式装置。
【請求項３】
前記第２被保持部は、前記突出部の先端に設けられ、前記第２保持部としてのフック状部材に係止するための孔を有する
ことを特徴とする請求項２に記載の手持ち式装置。
【請求項４】
前記突出部は、
前記本体から突出する柱状部と、
前記柱状部の軸と交差する方向へ前記柱状部から延びる延設部とを有し、
前記第２被保持部は、前記延設部に形成され、前記第２保持部としてのフック状部材に係止するための孔を有する
ことを特徴とする請求項２に記載の手持ち式装置。
【請求項５】
前記第１保持部及び前記第２保持部とは異なる方法で第３保持部に前記本体を保持するように、前記突出部に設けられた第３被保持部をさらに備え、
前記第３被保持部は、前記第３保持部としての挟持対象物を前記本体とともに挟持するための部位であって、前記突出部の軸と交差する方向へ前記突出部から延びる板状をなしている
ことを特徴とする請求項２から４のいずれか１項に記載の手持ち式装置。
【請求項６】
前記第１被保持部は、前記第１保持部としての挟持対象物を前記本体とともに挟持するための部位であって、前記突出部の軸と交差する方向へ前記突出部から延びる板状をなしている
ことを特徴とする請求項１に記載の手持ち式装置。
【請求項７】
前記第２被保持部は、前記第１被保持部に設けられ、前記第２保持部としてのフック状部材に係止するための孔を有する
ことを特徴とする請求項６に記載の手持ち式装置。
【請求項８】
前記第１保持部及び前記第２保持部とは異なる方法で第３保持部に前記本体を保持するように、前記突出部に設けられた第３被保持部をさらに備え、
前記第３被保持部は、前記突出部の先端に設けられ、前記第１保持部に磁力で保持するための磁石を有する
ことを特徴とする請求項７に記載の手持ち式装置。
【請求項９】
前記突出部は、
前記本体から離れる方向へ突出する柱状部と、
前記柱状部の軸と交差する方向へ前記柱状部から延びる延設部とを有し、
前記第２被保持部は、前記延設部に形成され、前記第２保持部としてのフック状部材に係止するための孔を有する
ことを特徴とする請求項６に記載の手持ち式装置。
【請求項１０】
制御基板を内蔵する本体と、
前記本体から突出する突出部と、
前記本体を第１保持部に保持するために、前記突出部に設けられた第１被保持部と、
前記第１保持部とは異なる方法で第２保持部に前記本体を保持するために、前記突出部に設けられた第２被保持部とを備え、
前記本体は、
ユーザが手で持つための把持部と、
バーコードを読み取る読取部とを有する
ことを特徴とする手持ち式バーコード読取装置。
【発明の詳細な説明】
【技術分野】
【０００１】
本発明は、手持ち式装置、及び手持ち式バーコード読取装置に関する。
【背景技術】
【０００２】
スーパーマーケット、コンビニエンスストアなどの商店でＰＯＳ（ｐｏｉｎｔ−ｏｆ−ｓａｌｅ）端末が広く普及している。ＰＯＳ端末では、一般的に、バーコード読取装置によって商品の情報などが読み取られる。このようなバーコード読取装置の中には、店員が手で持って使用する手持ち式バーコード読取装置がある。
【０００３】
手持ち式バーコード読取装置は、商店の店員がそれを使用しないとき、レジカウンター、レジ台などといったＰＯＳ端末が設置される台の上に置かれることがある。このとき、店員の手、顧客の商品などが台上の手持ち式バーコード読取装置に当たるなどして、手持ち式バーコード読取装置が台上から落下して破損することがある。
【０００４】
これを防ぐために、例えば特許文献１には、第１の掛合部材に第２の掛合部材を掛け合わせることによって、置き台に保持する手持ち式バーコード読取装置が開示されている。第１の掛合部材は、装置本体に取り付け取外し自在の帯状部材に取り付けられた掛合部材である。すなわち、第１の掛合部材は、帯状部材を介して、装置本体に取り付けられる。第２の掛合部材は、例えば置き台の所定位置に取り付けられた掛合部材である。
【先行技術文献】
【特許文献】
【０００５】
【特許文献１】実開平３−０９３９６６号公報
【発明の概要】
【発明が解決しようとする課題】
【０００６】
しかしながら、特許文献１に開示された手持ち式バーコード読取装置では、第１の掛合部材に第２の掛合部材を掛け合わせる手間と時間が掛かる。特に商店で顧客が清算のために列をなしているような場合には、この手間と時間は大きい。
【０００７】
また、特許文献１に開示された手持ち式バーコード読取装置では、置き台の所定位置に第２の掛合部材を取り付ける必要がある。置き台によっては、第２の掛合部材を取り付けることが難しいことがある。
【０００８】
例えば、ネジにより取り付けられる第２の掛合部材の場合、スチール製の置き台に第２の掛合部材をネジ止めすることは難しい。また例えば、粘着テープなどで取り付けられる第２の掛合部材の場合、第２の掛合部材の取り付けに適した箇所に、十分な強度で粘着させるスペースが確保できないことがある。このような場合、第２の掛合部材を置き台に取り付けることが難しい。
【０００９】
このように、手持ち式バーコード読取装置を使用しないときの扱いにおいて、商店の店員などといった、手持ち式バーコード読取装置のユーザに不便さがある。
【００１０】
本発明は、上記の事情に鑑みてなされたものであって、ユーザの利便性を向上させることが可能な手持ち式装置を提供することを目的とする。
【課題を解決するための手段】
【００１１】
本発明の第１の観点に係る手持ち式装置は、制御基板を内蔵する本体と、前記本体から突出する突出部と、第１保持部に前記本体を保持するための第１被保持部と、前記第１保持部とは異なる方法で第２保持部に前記本体を保持するための第２被保持部とを備え、前記第１被保持部は、前記突出部に設けられ、前記第２被保持部は、前記突出部又は前記第１被保持部に設けられることを特徴とする。
【発明の効果】
【００１２】
本発明によれば、ユーザの利便性を向上させる手持ち式装置を提供することが可能になる。
【図面の簡単な説明】
【００１３】
【図１】本発明の実施の形態１に係る手持ち式バーコード読取装置の斜視図である。
【図２】実施の形態１に係る手持ち式バーコード読取装置の外観を示す図であって、（ａ）は、正面図であり、（ｂ）は、右側面図であり、（ｃ）は、底面図である。
【図３】実施の形態１に係る被保持部材の斜視図である。
【図４】実施の形態１に係る被保持部材の外観を示す図であって、（ａ）は、正面図であり、（ｂ）は、左側面図であり、（ｃ）は、右側面図であり、（ｄ）は、背面図であり、（ｅ）は、平面図であり、（ｆ）は、底面図である。
【図５】本発明の変形例１に係る被保持部材の斜視図である。
【図６】本発明の変形例２に係る被保持部材の斜視図である。
【図７】本発明の変形例３に係る被保持部材の斜視図である。
【図８】本発明の実施の形態２に係る被保持部材の斜視図である。
【図９】実施の形態２に係る被保持部材の外観を示す図であって、（ａ）は、正面図であり、（ｂ）は、左側面図であり、（ｃ）は、右側面図であり、（ｄ）は、背面図であり、（ｅ）は、平面図であり、（ｆ）は、底面図である。
【図１０】本発明の実施の形態３に係る被保持部材の斜視図である。
【図１１】実施の形態３に係る被保持部材の外観を示す図であって、（ａ）は、正面図であり、（ｂ）は、左側面図であり、（ｃ）は、右側面図であり、（ｄ）は、背面図であり、（ｅ）は、平面図であり、（ｆ）は、底面図である。
【発明を実施するための形態】
【００１４】
本発明の実施の形態について図面を参照して説明する。以下の説明において、前、後、上、下、左、右の方向を表す用語は、説明のために用いるのであって、本発明を限定する趣旨ではない。
【００１５】
（実施の形態１）
本発明の実施の形態１に係る手持ち式バーコード読取装置１００は、スーパーマーケット、コンビニエンスストアなどで顧客が購入する商品に付されたバーコードを読み取ることによって、その商品に関する情報を取得するための装置である。以下、手持ち式バーコード読取装置を単に「バーコード読取装置」とも称する。
【００１６】
バーコード読取装置１００は、斜視図である図１及び正面図などである図２に示すように、本体１０１と、被保持部材１０２とを備える。本体１０１は、制御基板（不図示）などを内蔵し、図示しない上位装置であるＰＯＳ端末との間でデータを送受信するためのケーブル１０３が接続される。本体１０１と被保持部材１０２とは、典型的には、樹脂を材料として作られる。
【００１７】
本体１０１は、把持部１０４と、傾斜部１０５と、読取部１０６とを有する。
【００１８】
把持部１０４は、ユーザが手で持つための部位であって、概ね上下方向を長さ方向として、手で握れる程度の長さを有する。把持部１０４の前面には、詳細後述する被保持部材１０２を係止するためのスリット（不図示）が設けられている。本実施の形態において、スリットは、四角形の各辺の一部に設けられる。
【００１９】
傾斜部１０５は、把持部１０４の上端から上後方へ向かって延びる部位である。
【００２０】
読取部１０６は、傾斜部１０５の先端に設けられ、読取対象としてのバーコードを読み取る。詳細には、読取部１０６は、バーコードに光を照射し、その反射光に基づいて、バーコードが示す情報を取得する。
【００２１】
読取部１０６の機能は、例えば、上述の制御基板の他に、ＬＥＤ（Ｌｉｇｈｔ  Ｅｍｉｔｔｉｎｇ  Ｄｉｏｄｅ）などの発光素子、受光素子、光学レンズなどから構成される。これらの読取部１０６の機能を実現するための各部材は、上述の制御基板とともに本体１０１に内蔵されるとよい。
【００２２】
なお、読取対象は、情報を有するものであれば、バーコードに限られず、例えば、ＲＦ（Ｒａｄｉｏ  Ｆｒｅｑｕｅｎｃｙ）タグなどであってもよい。
【００２３】
被保持部材１０２は、斜視図である図３及び正面図などである図４に示すように、本体１０１とは別体で構成される部材であり、突出部１０７と、磁石保持部１０８と、孔部１０９と、挟持部１１０と、係止部１１２とを有する。
【００２４】
被保持部材１０２が、図１及び図２に示すように、本体１０１に取り付けられると、突出部１０７が、本体１０１から突出する。突出部１０７は、図３及び図４に示すように、前後方向に沿った軸方向に突出する柱状の柱状部１１１と、柱状部１１１から延びる延設部１１３とを有する。
【００２５】
柱状部１１１は、前後方向の軸に沿って突出する柱状の部位であって、先端が塞がれており、基端が開放した中空の四角柱状をなす。
【００２６】
係止部１１２は、柱状部１１１の基端に設けられており、本体１０１の把持部１０４に設けられた図示しないスリットに挿設された状態で、先端の爪が本体１０１に係止される。このような係止部１１２により、被保持部材１０２が本体１０１に取り付けられる。そして、係止部１１２が本体１０１に取り付けられると、柱状部１１１は、本体から離れる方向である前方に突出する。
【００２７】
延設部１１３は、柱状部１１１の前後方向の軸と交差する方向へ柱状部１１１から延びる。本実施の形態に係る延設部１１３は、上方へ延びる平板状の部位である。
【００２８】
磁石保持部１０８は、柱状部１１１の先端部に設けられて、磁石１１４を有する。本実施の形態に係る柱状部１１１の先端部は、柱状部１１１の前端部に相当する。磁石保持部１０８に設けられた磁石１１４は、磁石に吸着する部材（以下、「吸磁部材」という。）に本体１０１を磁力で保持するための部材である。磁石１１４は、例えば、その前面が外部に露出するように磁石保持部１０８に埋設され、接着剤、粘着テープなどで磁石保持部１０８に固定される。
【００２９】
吸磁部材は、例えば、ＰＯＳ端末、又は、ＰＯＳ端末の周辺に配置された物に設けられる磁石、当該物を構成する鉄などの強磁性体で作られた部材などである。
【００３０】
ＰＯＳ端末の周辺とは、例えば、ＰＯＳ端末の操作時にユーザの手が届く範囲である。そして、ＰＯＳ端末の周辺に配置された物とは、例えば、ＰＯＳ端末が載置されるＰＯＳ端末台、ＰＯＳ端末の操作時にユーザの手が届く範囲の壁面である。
【００３１】
孔部１０９は、延設部１１３に形成され、図示しないフック状部材に係止するための孔を有する。
【００３２】
フック状部材は、例えば、孔部１０９の孔を係止するフック状の部位と、ＰＯＳ端末、又は、ＰＯＳ端末の周辺に配置された物に固定される部位とを含む。フック状部材をＰＯＳ端末、又は、ＰＯＳ端末の周辺に配置された物に固定する方法は、ネジ止め、粘着テープ、磁力などである。
【００３３】
挟持部１１０は、本体１０１とともに挟持対象物を挟持するための部位であって、基端が柱状部１１１に固定されており、柱状部１１１の前後方向の軸と交差する方向へ延びる板状をなす。
【００３４】
挟持部１１０は、可撓性を有する。そのため、挟持部１１０と本体１０１との間に挟持対象物が挟まれると、挟持部１１０が前方へ撓む。これによって、挟持部１１０と本体１０１との距離が離れるとともに、平板状へ復元しようとする付勢力が挟持部１１０に生じる。すなわち、挟持部１１０と本体１０１との間に挟持対象物が挟まれ、それによって、挟持部１１０と本体１０１との距離が離れると、付勢力が挟持部１１０に生じる。そして、この付勢力は、本体１０１へ向かう、すなわち本体１０１との距離を近づける方向である後方へ向かう力である。これにより、挟持部１１０は、本体１０１とともに挟持対象物を挟持することができる。
【００３５】
挟持対象物は、例えば、バーコード読取装置１００のユーザが身に着けている服のポケット、ベルトである。また、挟持対象物は、ＰＯＳ端末、又は、ＰＯＳ端末の周辺に設けられる上下方向に平行な板状の部材であってもよい。この板状の部材は、バーコード読取装置１００の全体の重さを支えることができる程度の強度と、挟持部１１０と本体１０１との間で挟むことができる程度の厚さとを有すればよい。
【００３６】
これまで、本発明の実施の形態１に係るバーコード読取装置１００の構成について説明した。ここから、本実施の形態に係るバーコード読取装置１００の使用方法について説明する。
【００３７】
本実施の形態では、スーパーマーケット、コンビニエンスストアなどに設置されるＰＯＳ端末に接続されたバーコード読取装置１００を例に説明する。
【００３８】
使用時には、ユーザは、本体１０１の把持部１０４を把持して、顧客が購入する商品などに付されたバーコードに読取部１０６をかざす。これにより、バーコード読取装置１００は、バーコードに含まれる情報を読み取る。読み取られた情報は、ケーブル１０３を介してＰＯＳ端末に送信される。
【００３９】
ユーザは、顧客が購入する商品のすべてについてバーコードの読み取りが完了すると、通常、次の顧客の対応をするまで、バーコード読取装置１００を使用しない。
【００４０】
本実施の形態では、ＰＯＳ端末が載置されるＰＯＳ端末台が鉄製であり、フック状部材がＰＯＳ端末に取り付けられているとする。
【００４１】
ユーザは、バーコード読取装置１００を使用しないとき、磁石保持部１０８と挟持部１１０と孔部１０９とのいずれかで、本体１０１を保持する。
【００４２】
磁石保持部１０８を吸磁部材に着脱することは容易である。ただ、磁石保持部１０８により保持されているときに、例えばユーザの手、物などがバーコード読取装置１００に当たることなどによって磁石保持部１０８が吸磁部材から離されると、本体１０１が落下してしまう可能性がある。そのため、磁石保持部１０８による保持は、例えば、商店の混雑時など、バーコード読取装置１００の使用と不使用とを頻繁に切り替える必要があるときなどに適している。
【００４３】
挟持部１１０は、磁石保持部１０８と同様の特徴を有する。すなわち、挟持部１１０を挟持対象物に着脱することは容易である。ただ、挟持部１１０により保持されているときに、ユーザの手、物などがバーコード読取装置１００に当たることなどによって挟持部１１０が挟持対象物から離されると、本体１０１が落下してしまう可能性がある。そのため、挟持部１１０は、磁石保持部１０８と同様に、例えば、商店の混雑時など、バーコード読取装置１００の使用と不使用とを頻繁に切り替える必要があるときなどに適している。
【００４４】
磁石保持部１０８と挟持部１１０とは、吸磁部材が取り付けられているか否か、ユーザがポケット付の服やベルトを身に着けているか否か、ユーザがどちらを使い易いか、などの状況に応じて使い分けられるとよい。
【００４５】
これに対して、孔部１０９をフック状部材に着脱することは手間が掛かる。しかし、孔部１０９により本体１０１を保持すれば、バーコード読取装置１００にユーザの手などが当たってもバーコード読取装置１００は落下し難く、バーコード読取装置１００をしっかりと保持することができる。そのため、孔部１０９による保持は、例えば、不使用の時間が比較的多い時などに適している。
【００４６】
ただし、ここで説明した磁石保持部１０８、挟持部１１０、孔部１０９の特徴や使い分けは、一般的に想定できるものに過ぎない。磁石保持部１０８に保持された磁石が備える磁力の強さ、挟持部１１０が挟持する力の大きさ、孔部１０９とフック状部の掛かり具合などといった具体的な状況に応じて、磁石保持部１０８、挟持部１１０、孔部１０９が適宜使い分けられてよいのは勿論である。
【００４７】
そして、使用を再開するときには、ユーザは、吸磁部材、挟持対象物、又は、フック状部材からバーコード読取装置１００を取り外して、バーコード読取装置１００を上述のように使用するとよい。
【００４８】
これまで説明したように、実施の形態１に係るバーコード読取装置１００は、吸磁部材に本体１０１を保持するように、突出部１０７に設けられた磁石保持部１０８と、フック状部材に本体１０１を保持するように、突出部１０７に設けられた孔部１０９とを備える。
【００４９】
このように、バーコード読取装置１００は、異なる方法で本体１０１を保持する保持部に対応した被保持部を備える。そのため、バーコード読取装置１００を使用しないときに、ユーザは、磁石保持部１０８と孔部１０９とのいずれの被保持部で本体１０１を保持するかを選択することができる。
【００５０】
これにより、例えば不使用時の状況に応じて本体１０１を保持する方法を選択することができるので、ユーザの利便性を向上させることが可能になる。
【００５１】
本実施の形態に係る磁石保持部１０８は、突出部１０７が備える柱状部１１１の先端に設けられ、磁石を有する。突出部１０７の先端に設けることで、磁石保持部１０８を設けるための部位を別個に設ける必要がないので、被保持部材１０２をコンパクトにすることができる。従って、ユーザの利便性を向上させることが可能になる。
【００５２】
本実施の形態に係るバーコード読取装置１００は、挟持部１１０をさらに備える。挟持部１１０は、磁石保持部１０８及び孔部１０９のいずれとも異なる方法で本体１０１を保持する保持部としての挟持対象物に対応した被保持部である。
【００５３】
そのため、バーコード読取装置１００を使用しないときに、ユーザは、さらに、本体１０１を保持するための被保持部として、磁石保持部１０８と孔部１０９とに加えて挟持部１１０を選択することができる。
【００５４】
これにより、例えば、不使用時の状況だけでなく、吸磁部材が取り付けられているか否かといったユーザの周辺の状況、ユーザが身に着けている物などに応じて本体１０１を保持する方法を選択することができる。従って、ユーザの利便性を向上させることが可能になる。
【００５５】
本実施の形態に係る挟持部１１０と延設部１１３とは、それぞれ、下方と上方とへ延びており、把持部１０４の長手方向である上下方向に沿って、柱状部１１１から互いに反対の方向へ延びている。これに対して、仮に挟持部１１０と延設部１１３とが例えば、左右方向に沿って、柱状部１１１から互いに反対の方向へ延びると、本体１０１を正面から見た場合に、挟持部１１０と延設部１１３とがそれぞれ本体１０１の左右の端部よりも突出する。本実施の形態によれば、バーコード読取装置１００の幅（バーコード読取装置１００を正面から見た場合の左右の長さ）を、概ね本体１０１の幅（本体１０１を正面から見た場合の左右の長さ）よりも小さくすることができる。従って、バーコード読取装置１００は、コンパクトな構成で複数の被保持部１０８〜１１０を備えることが可能になる。
【００５６】
以上、本発明の実施の形態１について説明したが、本実施の形態は、次のように変形されてもよい。
【００５７】
例えば、実施の形態１では、被保持部材１０２が、本体１０１とは別に構成され、その被保持部材１０２を本体１０１に取り付ける例により説明したが、本体１０１と被保持部材１０２とが一体に構成されてもよい。
【００５８】
例えば、実施の形態１では、柱状部１１１が、中空の四角柱状である場合を例に説明したが、柱状部１１１は、軸に沿って突出する柱状であればよい。すなわち、柱状部１１１は、中実であってもよい。また、柱状部１１１は、軸方向から見た形状が、例えば、円形であってもよく、四角形以外の多角形であってもよい。
【００５９】
例えば、実施の形態１では、上位装置としてのＰＯＳ端末装置と有線で接続された手持ち式バーコード読取装置を例に説明した。しかし、手持ち式バーコード読取装置は、上位装置に有線で接続されるものに限られず、無線で接続されてもよい。また、手持ち式バーコード読取装置は、上位装置に接続されず、単独で使用されるものであってもよい。さらに、本発明は、手持ち式バーコード読取装置に限られず、懐中電灯、家庭用ゲーム機のコントローラ、手持ち式の電動のこぎりなどといった種々の手持ち式装置に適用することができる。
【００６０】
（変形例１）
実施の形態１では、被保持部材１０２が、磁石保持部１０８、孔部１０９、挟持部１１０といった３種の被保持部を備えることによって、３種類の異なる方法で本体１０１を保持することができるバーコード読取装置１００を例に説明した。しかし、被保持部材には、２種以上の被保持部が設けられていればよく、本変形例では、２種類の被保持部が設けられる例を説明する。
【００６１】
変形例１に係る被保持部材２０２は、実施の形態１と同様に、本体１０１とは別体で構成される部材である。
【００６２】
被保持部材２０２は、斜視図である図５に示すように、突出部２０７と、磁石保持部１０８と、挟持部１１０と、係止部１１２とを有する。すなわち、本変形例に係る被保持部材２０２は、孔部１０９を有していない点で、実施の形態１に係る被保持部材１０２とは異なる。
【００６３】
突出部２０７は、実施の形態１と同様の柱状部１１１を有する。すなわち、本変形例に係る突出部２０７は、孔部１０９が設けられる延設部１１３を有していない点で、実施の形態１に係る突出部１０７とは異なる。
【００６４】
本変形例によれば、例えばユーザの周辺の状況、ユーザが身に着けている物などに応じて本体１０１を保持する方法を選択することができる。従って、ユーザの利便性を向上させることが可能になる。
【００６５】
（変形例２）
本変形例においても、変形例１と同様に、２種類の被保持部が設けられる例を説明する。
【００６６】
変形例２に係る被保持部材３０２は、実施の形態１と同様に、本体１０１とは別体で構成される部材である。
【００６７】
被保持部材３０２は、斜視図である図６に示すように、突出部１０７と、磁石保持部１０８と、孔部１０９と、係止部１１２とを有する。すなわち、本変形例に係る被保持部材３０２は、挟持部１１０を有していない点で、実施の形態１に係る被保持部材１０２とは異なる。
【００６８】
本変形例によっても、変形例1と同様の効果を奏する。
【００６９】
（変形例３）
本変形例においても、変形例１と同様に、２種類の被保持部が設けられる例を説明する。
【００７０】
変形例３に係る被保持部材４０２は、実施の形態１と同様に、本体１０１とは別体で構成される部材である。
【００７１】
被保持部材４０２は、斜視図である図７に示すように、突出部１０７と、孔部１０９と、挟持部１１０と、係止部１１２とを有する。すなわち、本変形例に係る被保持部材４０２は、磁石保持部１０８を有していない点で、実施の形態１に係る被保持部材１０２とは異なる。
【００７２】
本変形例によっても、変形例1と同様の効果を奏する。
【００７３】
（実施の形態２）
本発明の実施の形態２に係るバーコード読取装置は、実施の形態１と同様の本体１０１と、本実施の形態に特徴的な被保持部材５０２とを備える。被保持部材５０２は、３種類の異なる方法で本体を保持することができる点で実施の形態１に係る被保持部材１０２と同様であるが、孔部を設ける場所が実施の形態１に係る被保持部材１０２と異なる。
【００７４】
被保持部材５０２は、斜視図である図８及び正面図などである図９に示すように、実施の形態１と同様の挟持部１１０、磁石保持部１０８及び係止部１１２と、実施の形態１とは異なる突出部５０７及び孔部５０９とを有する。
【００７５】
突出部５０７は、実施の形態１と同様の柱状部１１１を有する。すなわち、本変形例に係る突出部５０７は、延設部１１３を有していない点で、実施の形態１に係る突出部１０７とは異なる。
【００７６】
孔部５０９は、実施の形態１に係る孔部１０９とは異なり、挟持部１１０に設けられる。
【００７７】
これまで、本発明の実施の形態２に係るバーコード読取装置の構成について説明した。
【００７８】
本実施の形態に係るバーコード読取装置の使用方法は、実施の形態１に係るバーコード読取装置１００と概ね同様である。
【００７９】
すなわち、使用時には、ユーザは、本体１０１の把持部１０４を把持して、顧客が購入する商品などに付されたバーコードに読取部１０６をかざす。その結果、バーコードに含まれる情報は、ケーブル１０３を介してＰＯＳ端末に送信される。
【００８０】
そして、ユーザは、バーコード読取装置１００を使用しないとき、磁石保持部１０８と挟持部１１０と孔部５０９とのいずれかで、本体１０１を保持することができる。使用を再開するときには、ユーザは、吸磁部材、挟持対象物、又は、フック状部材からバーコード読取装置を取り外して、バーコード読取装置を上述のように使用するとよい。
【００８１】
以上、本発明の実施の形態２について説明した。
【００８２】
実施の形態２によれば、実施の形態１に係るバーコード読取装置１００と同様の効果を奏する。
【００８３】
また、本実施の形態では、孔部５０９が、挟持部１１０に設けられる。これにより、被保持部材５０２が実施の形態１に係る延設部１１３に相当する部位を有しなくても、３種類の方法で本体１０１を保持することができる。従って、被保持部材５０２を実施の形態１に係る被保持部材１０２よりもコンパクトにすることができるので、ユーザの利便性をより向上させることが可能になる。
【００８４】
（実施の形態３）
本発明の実施の形態３に係るバーコード読取装置は、スリットに代わる小さい孔が設けられている点で実施の形態１とは異なる本体（不図示）と、本実施の形態に特徴的な被保持部材６０２とを備える。
【００８５】
被保持部材６０２は、３種類の異なる方法で本体を保持することができる点で実施の形態１，２に係る被保持部材１０２，５０２と同様であるが、孔部を設ける場所が実施の形態１，２に係る被保持部材１０２，５０２と異なる。また、被保持部材５０２を本体に固定する方法が異なる。
【００８６】
被保持部材６０２は、斜視図である図１０及び正面図などである図１１に示すように、実施の形態１と同様の挟持部１１０と、実施の形態１とは異なる突出部６０７、磁石保持部６０８及び孔部６０９とを有する。被保持部材６０２は、実施の形態１に係る被保持部材１０２とは異なり、係止部１１２を有しない。
【００８７】
実施の形態１に係る突出部１０７と同様に、被保持部材６０２が本体に取り付けられると、突出部６０７が本体から突出する。突出部６０７は、柱状部１１１を有する。本実施の形態に係る突出部６０７は、延設部１１３を有しないことが、実施の形態１に係る突出部１０７と異なる。
【００８８】
ここで、被保持部材６０２が係止部１１２を有しないのは上述の通りである。本実施の形態に係る被保持部材６０２は、例えば、本体に設けられた小さい孔に挿設されるネジにより、本体に取り付けられる。柱状部１１１の基端部には、ネジを取り付けるためのネジ孔が設けられる。なお、図１１においては、柱状部１１１の基端部に設けられるネジ孔は図示していない。
【００８９】
磁石保持部６０８は、実施の形態１と同様に、柱状部１１１の先端に設けられて、吸磁部材に本体１０１を磁力で保持するための磁石１１４を有する。本実施の形態に係る磁石保持部６０８は、左右に配置された２つ磁石を有する点で、実施の形態１に係る磁石保持部１０８と異なる。
【００９０】
なお、本実施の形態においても、柱状部１１１の先端部及び基端部は、それぞれ、柱状部１１１の前端部及び後端部に相当する。
【００９１】
孔部６０９は、実施の形態１と同様に、図示しないフック状部材に係止するための孔を形成する部位である。本実施の形態に係る孔部６０９は、実施の形態１とは異なり、柱状部１１１の先端部に設けられる。詳細には、孔部６０９は、柱状部１１１の先端部のうち、磁石保持部６０８に取り付けられている２つの磁石の間に設けられる。
【００９２】
これまで、本発明の実施の形態３に係るバーコード読取装置の構成について説明した。
【００９３】
本実施の形態に係るバーコード読取装置の使用方法は、実施の形態１に係るバーコード読取装置１００と概ね同様である。
【００９４】
すなわち、使用時には、ユーザは、本体の把持部１０４を把持して、顧客が購入する商品などに付されたバーコードに読取部１０６をかざす。その結果、バーコードに含まれる情報は、ケーブル１０３を介してＰＯＳ端末に送信される。
【００９５】
そして、ユーザは、バーコード読取装置１００を使用しないとき、磁石保持部６０８と挟持部１１０と孔部６０９とのいずれかで、本体を保持することができる。使用を再開するときには、ユーザは、吸磁部材、挟持対象物、又は、フック状部材からバーコード読取装置を取り外して、バーコード読取装置を上述のように使用するとよい。
【００９６】
以上、本発明の実施の形態３について説明した。
【００９７】
実施の形態３によれば、実施の形態１に係るバーコード読取装置１００と同様の効果を奏する。
【００９８】
また、磁石保持部６０８と孔部６０９とのいずれもが、突出部６０７が有する柱状部１１１の先端に設けられる。これにより、実施の形態１に係る延設部１１３に相当する部位を有しなくても、３種類の方法で本体を保持するバーコード読取装置を実現することができる。従って、コンパクトな構成で、例えば不使用時の状況に応じて本体１０１を保持する方法を選択することができるので、ユーザの利便性をより向上させることが可能になる。
【００９９】
これまで説明した磁石保持部１０８，６０８及び吸磁部材の組み合わせと、孔部１０９，５０９，６０９及びフック状部材の組み合わせと、挟持部１１０及び挟持対象物の組み合わせは、第１被保持部及び第１保持部の組み合わせと、第２被保持部及び第２保持部の組み合わせと、第３被保持部及び第３保持部の組み合わせとのいずれかの互いに異なる組み合わせに相当する。
【０１００】
例えば、磁石保持部１０８，６０８が、第１被保持部に相当する場合、吸磁部材は、第１保持部に相当する。孔部１０９，５０９，６０９が、第２被保持部に相当する場合、フック状部材は、磁力とは異なる方法で本体１０１を保持する部材であって、第２保持部に相当する。挟持部１１０が、第３被保持部に相当する場合、挟持対象物は、磁力及び係止とは異なる方法で本体１０１を保持する部材であって、第３保持部に相当する。
【０１０１】
また例えば、挟持部１１０が、第１被保持部に相当する場合、挟持対象物は、磁力及び係止とは異なる方法で本体１０１を保持する部材であって、第１保持部に相当する。孔部１０９，５０９，６０９が、第２被保持部に相当する場合、フック状部材は、磁力とは異なる方法で本体１０１を保持する部材であって、第２保持部に相当する。磁石保持部１０８，６０８が、第３被保持部に相当する場合、吸磁部材は、第３保持部に相当する。
【０１０２】
以上、本発明の実施の形態１〜３について説明したが、実施の形態は、次のように変形されてもよい。
【０１０３】
例えば、被保持部材１０２，２０２，３０２，４０２，５０２，６０２を本体１０１に取り付ける方法は、実施の形態１，２のような爪による係止、実施の形態３のようなネジ止めに限られず、接着剤などによる接着などであってもよい。
【０１０４】
接着剤などで被保持部材を本体に接着する場合、被保持部材が有する柱状部の基端部には、係止部１１２やネジ止めのための孔を設ける必要がない。柱状部の基端部は、例えば容易に接着できるように平らにされていればよい。そのため、被保持部材の構成を簡易にすることができる。
【０１０５】
また、本体には、実施の形態１〜３で説明したようなスリットや小さい孔が設けられなくてもよい。そのため、被保持部材の取り付けが予定されていないためにスリットや小さい孔を有さない本体であっても、被保持部材を容易に取り付けることができる。
【０１０６】
以上、本発明の実施の形態及び変形例について説明したが、本発明は、これらに限られない。例えば、本発明は、これまで説明した実施の形態及び変形例の一部又は全部を適宜組み合わせた形態、その形態に適宜変更を加えた形態をも含む。
【０１０７】
上記の実施の形態の一部又は全部は、以下の付記のようにも記載され得るが以下には限られない。
（付記１）
制御基板を内蔵する本体と、
前記本体から突出する突出部と、
第１保持部に前記本体を保持するための第１被保持部と、
前記第１保持部とは異なる方法で第２保持部に前記本体を保持するための第２被保持部とを備え、
前記第１被保持部は、前記突出部に設けられ、
前記第２被保持部は、前記突出部又は前記第１被保持部に設けられる
ことを特徴とする手持ち式装置。
（付記２）
前記第１被保持部は、前記突出部の先端に設けられ、前記第１保持部に磁力で保持するための磁石を有する
ことを特徴とする付記１に記載の手持ち式装置。
（付記３）
前記第２被保持部は、前記突出部の先端に設けられ、前記第２保持部としてのフック状部材に係止するための孔を有する
ことを特徴とする付記２に記載の手持ち式装置。
（付記４）
前記突出部は、
前記本体から突出する柱状部と、
前記柱状部の軸と交差する方向へ前記柱状部から延びる延設部とを有し、
前記第２被保持部は、前記延設部に形成され、前記第２保持部としてのフック状部材に係止するための孔を有する
ことを特徴とする付記２に記載の手持ち式装置。
（付記５）
前記第１保持部及び前記第２保持部とは異なる方法で第３保持部に前記本体を保持するように、前記突出部に設けられた第３被保持部をさらに備え、
前記第３被保持部は、前記第３保持部としての挟持対象物を前記本体とともに挟持するための部位であって、前記突出部の軸と交差する方向へ前記突出部から延びる板状をなしている
ことを特徴とする付記２から４のいずれか１つに記載の手持ち式装置。
（付記６）
前記第１被保持部は、前記第１保持部としての挟持対象物を前記本体とともに挟持するための部位であって、前記突出部の軸と交差する方向へ前記突出部から延びる板状をなしている
ことを特徴とする付記１に記載の手持ち式装置。
（付記７）
前記第２被保持部は、前記第１被保持部に設けられ、前記第２保持部としてのフック状部材に係止するための孔を有する
ことを特徴とする付記６に記載の手持ち式装置。
（付記８）
前記第１保持部及び前記第２保持部とは異なる方法で第３保持部に前記本体を保持するように、前記突出部に設けられた第３被保持部をさらに備え、
前記第３被保持部は、前記突出部の先端に設けられ、前記第１保持部に磁力で保持するための磁石を有する
ことを特徴とする付記７に記載の手持ち式装置。
（付記９）
前記突出部は、
前記本体から離れる方向へ突出する柱状部と、
前記柱状部の軸と交差する方向へ前記柱状部から延びる延設部とを有し、
前記第２被保持部は、前記延設部に形成され、前記第２保持部としてのフック状部材に係止するための孔を有する
ことを特徴とする付記６に記載の手持ち式装置。
（付記１０）
制御基板を内蔵する本体と、
前記本体から突出する突出部と、
前記本体を第１保持部に保持するために、前記突出部に設けられた第１被保持部と、
前記第１保持部とは異なる方法で第２保持部に前記本体を保持するために、前記突出部に設けられた第２被保持部とを備え、
前記本体は、
ユーザが手で持つための把持部と、
バーコードを読み取る読取部とを有する
ことを特徴とする手持ち式バーコード読取装置。
（付記１１）
前記突出部は、
前記本体から突出する柱状部と、
前記柱状部の軸と交差する方向へ前記柱状部から延びる延設部とを有し、
前記第１被保持部は、前記第１保持部としての挟持対象物を前記本体とともに挟持するための部位であって、前記突出部の軸と交差する方向へ前記突出部から延びる板状をなしており、
前記第２被保持部は、前記延設部に形成され、前記第２保持部としてのフック状部材に係止するための孔を有する
ことを特徴とする付記１０に記載の手持ち式バーコード読取装置。
【産業上の利用可能性】
【０１０８】
本発明は、ＰＯＳ端末に接続される手持ち式バーコード読取装置など、手で持って使用する種々の装置に有用に利用することができる。
【符号の説明】
【０１０９】
１００  バーコード読取装置
１０１  本体
１０２，２０２，３０２，４０２，５０２，６０２  被保持部材
１０３  ケーブル
１０４  把持部
１０５  傾斜部
１０６  読取部
１０７，２０７，５０７，６０７  突出部
１０８，６０８  磁石保持部
１０９，５０９，６０９  孔部
１１０  挟持部
１１１  柱状部
１１２  係止部
１１３  延設部
１１４  磁石
【図１】
2018018236.tif 000003
【図２】
2018018236.tif 000004
【図３】
2018018236.tif 000005
【図４】
2018018236.tif 000006
【図５】
2018018236.tif 000007
【図６】
2018018236.tif 000008
【図７】
2018018236.tif 000009
【図８】
2018018236.tif 000010
【図９】
2018018236.tif 000011
【図１０】
2018018236.tif 000012
【図１１】
2018018236.tif 000013
【手続補正書】
【提出日】平成29年8月24日(2017.8.24)
【手続補正２】
【補正対象書類名】明細書
【補正対象項目名】０００１
【補正方法】変更
【補正の内容】
【０００１】
本発明は、手持ち式装置に関する。
【手続補正３】
【補正対象書類名】明細書
【補正対象項目名】００１１
【補正方法】変更
【補正の内容】
【００１１】
本発明に係る手持ち式装置は、制御基板を内蔵する本体と、前記本体から突出する突出部と、第１保持部に前記本体を保持するための第１被保持部と、前記第１保持部とは異なる方法で第２保持部に前記本体を保持するための第２被保持部と、前記第１保持部及び前記第２保持部とは異なる方法で第３保持部に前記本体を保持するための第３被保持部とを備え、前記第１被保持部は、前記突出部に設けられ、前記第３被保持部は、前記第３保持部としての挟持対象物を前記本体とともに挟持するための部位であって、前記突出部の軸と交差する方向へ前記突出部から延びる板状をなしており、前記第２被保持部は、前記突出部又は前記第３被保持部に設けられることを特徴とする。
【手続補正４】
【補正対象書類名】特許請求の範囲
【補正対象項目名】全文
【補正方法】変更
【補正の内容】
【特許請求の範囲】
【請求項１】
制御基板を内蔵する本体と、
前記本体から突出する突出部と、
第１保持部に前記本体を保持するための第１被保持部と、
前記第１保持部とは異なる方法で第２保持部に前記本体を保持するための第２被保持部と、
前記第１保持部及び前記第２保持部とは異なる方法で第３保持部に前記本体を保持するための第３被保持部とを備え、
前記第１被保持部は、前記突出部に設けられ、
前記第３被保持部は、前記第３保持部としての挟持対象物を前記本体とともに挟持するための部位であって、前記突出部の軸と交差する方向へ前記突出部から延びる板状をなしており、
前記第２被保持部は、前記突出部又は前記第３被保持部に設けられる
ことを特徴とする手持ち式装置。
【請求項２】
前記第１被保持部は、前記突出部の先端部に設けられ、前記第１保持部に磁力で保持するための磁石を有し、
前記第２被保持部は、前記第２保持部としてのフック状部材に係止するための孔を有する
ことを特徴とする請求項１に記載の手持ち式装置。
【請求項３】
前記第２被保持部は、前記突出部の先端部に設けられる
ことを特徴とする請求項２に記載の手持ち式装置。
【請求項４】
前記第２被保持部は、前記第３被保持部に設けられる
ことを特徴とする請求項２に記載の手持ち式装置。
【請求項５】
前記本体が、ユーザが手で持つための把持部と、バーコードを読み取る読取部とを有する手持ち式バーコード読取装置である
ことを特徴とする請求項１から４のいずれか１項に記載の手持ち式装置。